(57)【要約】    【課題】プーリに掛巻した状態において、保持具を簡単に取り付けることができる搬送ベルトを提供する。    【解決手段】引き抜きタイプのリベット４により、保持具３を搬送ベルト２の外周面側に取り付ける。搬送ベルト２の内周面に溝部１３を形成する。溝部１３の溝底にリベット孔１２を形成する。リベット４を、筒状のリベット本体１５と、リベット本体１５の中心孔を貫通するシャフト１６と、シャフト１６の先端に形成された瘤部１７とから構成する。リベット孔１２にリベット本体１５を挿通後、シャフト１６を引いて瘤部１７でリベット本体１５の先端を押し潰す。片面側からの作業のみで保持具３を取り付け可能である。【選択図】  図１
2005104602.tif 000002
【特許請求の範囲】
【請求項１】
プーリに掛巻し、被搬送物を保持するための保持具を取り付けて使用する搬送ベルトであって、
前記保持具をベルト外周面側に取り付けるためのリベットを挿通可能なリベット孔が形成されたことを特徴とする搬送ベルト。
【請求項２】
前記プーリの外周面に対向する当該搬送ベルトの内周面に、その周長方向に連続する溝部が形成され、該溝部の溝底に前記リベット孔が形成されたことを特徴とする請求項１に記載の搬送ベルト。
【請求項３】
内周面にベルト歯を有する歯付ベルトとされ、前記リベット孔がベルト歯の歯部に対応する位置に形成されたことを特徴とする請求項１又は２に記載の搬送ベルト。
【請求項４】
前記リベット孔は、当該搬送ベルトの周長方向に所定間隔で形成されたことを特徴とする請求項１、２又は３に記載の搬送ベルト。
【請求項５】
前記リベットは、筒状のリベット本体と、該リベット本体の中心孔を貫通するシャフトと、該シャフトの先端に形成された瘤部とからなり、前記リベット孔にリベット本体を挿通後、シャフトを引いて瘤部でリベット本体の先端を押し潰すことにより、ベルト外周面側からの作業のみで取付可能な引き抜きタイプのリベットとされ、
前記リベット孔が前記リベット本体を挿通可能な大きさに設定されたことを特徴とする請求項１〜４のいずれかに記載の搬送ベルト。
【請求項６】
プーリに掛巻された搬送ベルトの外周面側に、被搬送物を保持するための保持具を取り付ける保持具取付方法であって、前記保持具を搬送ベルトの外周面側に配置しつつ、保持具に形成されたリベット孔を搬送ベルトに形成されたリベット孔に合わせ、両リベット孔に外周面側からリベットを挿入して取り付けることを特徴とする保持具取付方法。
【請求項７】
前記リベットは、筒状のリベット本体と、該リベット本体の中心孔を貫通するシャフトと、該シャフトの先端に形成された瘤部とからなり、前記リベット孔にリベット本体を挿通後、シャフトを引いて瘤部でリベット本体の先端を押し潰すことにより、ベルト外周面側からの作業のみで取り付けることを特徴とする請求項６に記載の保持具取付方法。
【発明の詳細な説明】
【技術分野】
【０００１】
本発明は、プーリに掛巻し、被搬送物を保持するための保持具を取り付けて使用する搬送ベルトに関するものである。
【背景技術】
【０００２】
一般に、紙葉類などの搬送には、その紙葉類などの被搬送物を保持しつつ搬送するための搬送装置を使用することが多い。
【０００３】
図４に搬送装置の一例を示す。この搬送装置は、周方向に回転自在な合成樹脂製のチェーンベルト１０１の外周側に、写真用印画紙などの被搬送物を保持するためのプロファイルや突起物と称される複数の保持具１０２を取り付けてなる。
【０００４】
保持具１０２は、断面略Ｌ字形とされて周方向に一定の間隔で配置され、その短片がチェーンベルト１０１に取り付けられる。チェーンベルト１０１を構成する各部材には、保持具１０２の短片をビス留めするためのアタッチメント１０３が取り付けられ、このアタッチメント１０３を介して、チェーンベルト１０１に保持具１０２が取り付けられる。互いに隣接する保持具１０２の長片同士で挟まれる空間は、被搬送物を保持する保持空間とされ、被搬送物を保持しつつ搬送するようになっている。
【０００５】
ただ、紙葉類などを搬送する搬送装置は小型であることが多く、チェーンベルト１０１の内周側に、手が入る大きさの作業スペースを確保しにくい。そのため、ビスやボルト、ナットによってチェーンベルト１０１に保持具１０２を固定する構造は、チェーンベルト１０１を装置本体に取り付けたままでの保持具１０２の付け替えを難しくし、メンテナンスを含むコストが高くなる。そこで、チェーンベルト１０１に代えて、メンテナンスが不要でコストの安い搬送ベルトの採用が求められている。
【０００６】
保持具を取り付けた搬送ベルトとしては、特許文献１に、ベルト本体に荷こぼれ防止や滑り止め、蛇行防止などを目的とする保持具としての桟を高周波誘電接合するものが開示されている。また、特許文献２に、ベースベルト（ベルト本体）に保持具としての桟を加硫接着するものが開示されている。
【特許文献１】実開昭６１−１９７００６号公報
【特許文献２】特開平９−８５８５０号公報（段落番号００１４）
【発明の開示】
【発明が解決しようとする課題】
【０００７】
ところが、特許文献１、２に記載の搬送ベルトは、ベルト本体に保持具を接合又は接着するものであるため、保持具が搬送ベルトの屈曲性を損なうおそれがあると共に、プーリに掛巻したままでの保持具の取り付けが難しくなりやすい。また、ビスやボルト、ナットを用いて、搬送ベルトに保持具を取り付ける構造も、チェーンベルトを使用するものと同様、プーリに掛巻したままでの保持具の取り付けが難しくなりやすい。
【０００８】
本発明は、その屈曲性を損なうことなく、かつ、プーリに掛巻した状態において、保持具を簡単に取り付けることができる搬送ベルトを提供することを目的とする。
【課題を解決するための手段】
【０００９】
上記課題に鑑み、本発明は、プーリに掛巻し、被搬送物を保持するための保持具を取り付けて使用する構造を前提として、保持具をベルト外周面側に取り付けるためのリベットを挿通可能なリベット孔が形成された搬送ベルトを提供するものである。
【００１０】
この構成によれば、リベットを用いて搬送ベルトに保持具を固定するので、接着などの面接合に代えて周方向における点接合とすることができ、搬送ベルトの屈曲性を損なうことなく保持具を取り付けることができる。また、リベットは、ボルトよりも作業性に優れるので、保持具の取り付けを簡単にすることができる。
【００１１】
プーリの外周面に対向する当該搬送ベルトの内周面に、その周長方向に連続する溝部を形成し、この溝部の溝底にリベット孔を形成する。そうすれば、リベット内端を溝部内に収めることにより、リベットがプーリに当たって搬送ベルトの旋回に不具合を生じさせることを防止することができる。
【００１２】
搬送ベルトを内周面にベルト歯を有する歯付ベルトとする場合、リベット孔をベルト歯の歯部に対応する位置に形成する。そうすれば、リベット内端は、歯付プーリ外周面のうちの内向きに凹んだ部分である歯溝に対向する。これにより、歯付プーリ外周面とリベット内端との間に隙間が形成され、歯付プーリとリベットとの干渉をより確実に防止することができる。
【００１３】
リベット孔を当該搬送ベルトの周長方向に所定間隔で形成すれば、保持具を一定の間隔で配置することができる。特に、歯付ベルトを採用する場合、リベット孔の間隔を歯ピッチの複数倍の大きさに設定することにより、全てのリベットの内端を歯付プーリの歯溝に対向させることができる。
【００１４】
リベットを、筒状のリベット本体と、リベット本体の中心孔を貫通するシャフトと、シャフトの先端に形成された瘤部とから構成し、搬送ベルトのリベット孔を、リベット本体を挿通可能な大きさに設定する。このリベットは、いわゆる引き抜きタイプのリベットであり、リベット孔にリベット本体を挿通後、シャフトを引いて瘤部でリベット本体の先端を押し潰すことにより、片面側からの作業のみで取り付け可能とされたものである。
【００１５】
この構成によれば、搬送ベルトの外周面側からの作業のみで保持具を取り付けることができるので、搬送ベルトの内周面側のスペースが小さくて手が入らないような場合であっても、搬送ベルトをプーリに掛け巻きしたままで、保持具を簡単に取り付けることができる。
【００１６】
また、本発明は、リベットを用いて搬送ベルトの外周面側に保持具を取り付けるための保持具取付方法を提供する。すなわち、本発明は、プーリに掛巻された搬送ベルトの外周面側に、被搬送物を保持するための保持具を取り付けることを前提として、保持具を搬送ベルトの外周面側に配置しつつ、保持具に形成されたリベット孔を搬送ベルトに形成されたリベット孔に合わせ、両リベット孔に外周面側からリベットを挿入して取り付ける保持具取付方法を提供する。
【００１７】
リベットとして、筒状のリベット本体と、リベット本体の中心孔を貫通するシャフトと、シャフトの先端に形成された瘤部とからなる引き抜きタイプのリベットを採用する場合、リベット孔にリベット本体を挿通後、シャフトを引いて瘤部でリベット本体の先端を押し潰すことにより、ベルト外周面側からの作業のみで取り付けるようにする。
【発明の効果】
【００１８】
本発明によると、リベットを用いることにより、搬送ベルトに保持具を簡単に取り付けることができるので、誰が行っても確実に固定することができる。特に、引き抜きタイプのリベットを採用することにより、搬送ベルトの内周面側のスペースが狭くて手が入らない場合であっても、プーリに掛け巻きしたまま保持具を取り付けることができる。
【００１９】
これにより、従来のチェーンベルトを用いたものよりも、そのメンテナンス費用を含むコストを安くすることができる。
【発明を実施するための最良の形態】
【００２０】
以下、本発明に係る搬送ベルトを実施するための最良の形態について、図面を用いて説明する。図１は本発明に係る搬送ベルトを備えた搬送装置の要部斜視図、図２は搬送ベルトの要部斜視図である。
【００２１】
この搬送装置は、写真用の印画紙などの被搬送物を保持しつつ搬送するためのものであり、歯付プーリ１と、歯付プーリ１に掛巻される搬送ベルト２と、被搬送物を保持する複数の保持具３とを備え、その保持具３がリベット４によって搬送ベルト２の外周面側に、周長方向に沿って一定のピッチで取り付けられている。
【００２２】
搬送ベルト２は、その内周面に歯付プーリ１のプーリ歯５に噛み合うベルト歯６を有する歯付ベルトとされ、例えばクロロプレンゴムからなる環状のベルト本体７に、引張力を受け持つ心線８を埋設し、ベルト歯６を歯布９で被覆してなる。搬送ベルト２の大きさは、例えば周長が８００ｍｍでベルト幅が２００ｍｍ程度とされる。
【００２３】
心線８は、例えば数百本から数千本の長繊維ガラスを撚り合わせてなるガラス心線とされ、ベルト歯６の歯底付近に位置するように、周長方向に連続して多数回巻き付けるようにして埋設されている。歯布９は、例えばポリアミド製の布をゴム糊に浸漬させて乾燥させたものであり、ベルト歯６を補強している。
【００２４】
保持具３は、例えば合成樹脂からなり、短片３ａと長片３ｂとからなる断面Ｌ字形に形成される。この保持具３は、その長さ方向を搬送ベルト２のベルト幅方向と平行に、かつ、長片３ｂの突出方向を搬送ベルト２の外方に向けて配置され、その短片３ａを搬送ベルト２の外周面側に固定されている。なお、保持具３の長さは、搬送ベルト２のベルト幅とほぼ等しい長さに設定される。
【００２５】
保持具３の短片３ａの突出長は保持具３の取り付けピッチよりもわずかに小さく設定され、短片３ａが搬送ベルト２の外周面をほぼ覆っている。保持具３の短片３ａおよび長片３ｂと、この保持具３に短片３ａの突出側に隣接する保持具３の長片３ｂとで挟まれる空間は、被搬送物を保持する保持空間１０とされ、歯付プーリ１が回転することにより搬送ベルト２が旋回して、保持空間１０内に保持された被搬送物を搬送する。
【００２６】
保持具３の短片３ａには、二つのリベット孔１１が形成され、搬送ベルト２には、ベルト幅方向に一対のリベット孔１２が周長方向に一定のピッチで複数箇所に形成されている。この短片３ａおよび搬送ベルト２のリベット孔１１、１２にリベット４を挿通することにより、搬送ベルト２に短片３ａが固定されている。
【００２７】
搬送ベルト２のリベット孔１２は、搬送ベルト２の内周面に設けられた二条の溝部１３の溝底にパンチングを施すなどして形成される。溝部１３は、搬送ベルト２の内周面に、周長方向に沿って所定幅の歯布９を取り除き、心線８が露出しない程度にベルト歯６を削ることにより、周長方向に連続して形成されている。
【００２８】
リベット孔１２のピッチは、その周長方向における位置がベルト歯６の歯部１４に対応するように設定される。これにより、リベット孔１２を挿通するリベット４の内端がプーリ歯５の凹んだ部分である歯溝に対向し、リベット４の内端と歯付プーリ１との間に隙間が形成される。
【００２９】
次に、歯付プーリ１に掛巻された搬送ベルト２の外周面側に保持具３を取り付ける手順を説明する。まず、歯付プーリ１に掛巻された搬送ベルト２の外周面側に保持具３を配置しつつ、その短片３ａに形成されたリベット孔１１を搬送ベルト２に形成されたリベット孔１２に合わせる。次いで、両リベット孔１１、１２に、リベット固定治具（図示せず）に装着した引き抜きタイプのリベット４を外周面側から挿入し、外周面側からの操作により固定する。この作業を全ての保持具３について行う。
【００３０】
ここで、リベット４について説明する。図３はリベットの斜視図であり、（ａ）は固定前の状態を示し、（ｂ）は固定後の状態を示す。図３（ａ）、（ｂ）に示すように、リベット４は、引き抜きタイプのリベットとされ、基端側にフランジ１５ａを有する筒状のリベット本体１５と、リベット本体１５の中心孔を貫通するシャフト１６と、シャフト１６の先端に形成された瘤部１７とからなる。なお、リベット孔１１、１２はリベット本体１５および瘤部１７を挿通可能な大きさに設定されている。
【００３１】
リベット４は、そのシャフト１６をリベット固定治具（図示せず）に装着可能とされ、リベット孔１１、１２にリベット本体１５の先端を差し込んだ後、リベット固定治具を操作してシャフト１６を引くようになっている。
【００３２】
これにより、瘤部１７がリベット本体１５の先端を切り裂いて開き、図３（ａ）に示す状態から図３（ｂ）に示す状態になり、搬送ベルト２および短片３ａがフランジ１５ａと切り裂き部１５ｂとで挟まれ、搬送ベルト２に保持具３が固定される。固定後のリベット４のシャフト１６は、切断したり、あるいは内方から抜き出したりして取り除く。
【００３３】
上記構成によれば、搬送ベルト２の外周面側からの作業のみで保持具３を取り付けることができるので、搬送ベルト２を歯付プーリ１に掛巻したまま保持具３を取り付けることができる。また、保持具３を周方向における一点で固定するので、搬送ベルト２の屈曲性を損なうことがない。
【００３４】
引き抜きタイプのリベットとして、先端を押し伸ばすタイプの一般的なリベットを用いてもよいが、先端を切り裂くタイプのリベット４を採用することにより、切り裂き部１５ｂを搬送ベルト２に噛み込み固定させることができ、より確実に固定することができる。すなわち、先端を切り裂くタイプのリベット４は、金属系の部材の接合に用いられることが多い一般的なリベットよりも、抜け出しが懸念されやすい柔らかい材質からなる搬送ベルト２への採用に適している。
【００３５】
なお、本発明は、上記の最良の形態に限定されるものではなく、本発明の範囲内において、適宜変更を加えることができる。例えば、先端を切り裂くタイプのリベット４の代わりに、先端を押し伸ばすタイプのリベットを用いてもよく、引き抜きタイプのリベットの代わりに両面側から固定するリベットを用いてもよい。
【００３６】
保持具３は、一定のピッチだけでなく、不等ピッチで搬送ベルト２に取り付けてもよい。この場合、リベット孔１２も不等ピッチで形成すればよい。また、歯付ベルトの代わりに平ベルトを採用してもよい。周方向に連続する溝部１３の代わりに凹部を形成し、この凹部の底部にリベット孔１２を形成してもよい。
【図面の簡単な説明】
【００３７】
【図１】本発明に係る搬送ベルトを備えた搬送装置の要部斜視図
【図２】搬送ベルトの要部斜視図
【図３】リベットの斜視図
【図４】従来の搬送装置の斜視図
【符号の説明】
【００３８】
１    歯付プーリ
２    搬送ベルト
３    保持具
４    リベット
１１、１２  リベット孔
１３  溝部
１４  歯部
１５  リベット本体
１６  シャフト
１７  瘤部
【図１】
2005104602.tif 000003
【図２】
2005104602.tif 000004
【図３】
2005104602.tif 000005
【図４】
2005104602.tif 000006